(57)【要約】【課題】使い勝手が良い段ボール収納箱を提供する。【解決手段】底面部６と４面の側面部７，８，９，１０とから収容スペースが形成された箱本体２と、この箱本体２の上端に延設された蓋体３とを備えた段ボール収納箱１Ａにおいて、箱本体２の上端で、且つ、蓋体３の対向位置に切り離し自在に設けられた付属シート部５を備え、この付属シート部５を中底シートや中仕切りシート等として使用する。【選択図】図１
2007261653.tif 000002
【特許請求の範囲】
【請求項１】
底面部と側面部とから収容スペースが形成された箱本体と、この箱本体の上端に設けられた蓋体とを備えた収納箱において、
前記箱本体の上端に切り離し自在に設けられた付属シート部を備えたことを特徴とする収納箱。
【請求項２】
請求項１記載の収納箱であって、
前記付属シート部は、底面部の寸法に設定されたことを特徴とする収納箱。
【請求項３】
請求項１記載の収納箱であって、
前記付属シート部は、中仕切りの寸法に設定されたことを特徴とする収納箱。
【発明の詳細な説明】
【技術分野】
【０００１】
本発明は、書籍等を収納する段ボール収納箱等の収納箱に関する。
【背景技術】
【０００２】
この種の従来の段ボール収納箱として、図９及び図１０に示すものがある（例えば、特許文献１参照）。この段ボール収納箱１００は、図９に示すように、底面部（後述する４つの底面片１１２ａ〜１１２ｄ）と４面の側面部１０２ａ〜１０２ｄから内部に収容スペースが形成された箱本体１０３と、この箱本体１０３の上端に折り曲げ自在に設けられた４つの蓋体１０４ａ〜１０４ｄとから構成されている。
【０００３】
この段ボール収納箱１００は、図１０に示すように、単一の段ボール型シート１１０から形成される。この段ボール型シート１１０は、４つの連接された側面部１０２ａ〜１０２ｄと、１つの側面部１０２ａに付設された側面用糊代部１１１と、各側面部１０２ａ〜１０２ｄより外側に延設された４つの底面片１１２ａ〜１１２ｄと、各側面部１０２ａ〜１０２ｄより外側に付設された４つの蓋体１０４ａ〜１０４ｄと、１つの蓋体１０４ａに付設された蓋用糊代部１１３とから構成されている。これら４つの底面片１１２ａ〜１１２ｄを互いに組み付けることによって底面部が形成される。
【特許文献１】特開２００４−２６８９５６号公報
【発明の開示】
【発明が解決しようとする課題】
【０００４】
しかしながら、前記従来の段ボール収納箱１００では、底面片１１２ａ〜１１２ｄを補強したい場合には、内底シートを別途用意する必要があった。また、段ボール収納箱１００の収容スペースを仕切りたい場合には、中仕切り板を別途用意する必要があった。このように、従来の段ボール収納箱１００は、箱として必要最小限の構成部分しか有さないため、使い勝手が悪いという問題があった。
【０００５】
そこで、本発明は、前記した課題を解決すべくなされたものであり、使い勝手が良い収納箱を提供することを目的とする。
【課題を解決するための手段】
【０００６】
請求項１の発明は、底面部と側面部とから収容スペースが形成された箱本体と、この箱本体の上端に設けられた蓋体とを備えた収納箱において、前記箱本体の上端に切り離し自在に設けられた付属シート部を備えたことを特徴とする。
【０００７】
請求項２の発明は、請求項１記載の収納箱であって、前記付属シート部は、底面部の寸法に設定されたことを特徴とする。
【０００８】
請求項３の発明は、請求項１記載の収納箱であって、前記付属シート部は、中仕切りの寸法に設定されたことを特徴とする。
【発明の効果】
【０００９】
請求項１の発明によれば、収納箱の底面部を補強したい場合には、箱本体より付属シート部を切り離し、切り離した付属シート部を内底シートとして利用でき、また、収納箱の収容スペースを仕切りたい場合には、箱本体より付属シート部を切り離し、切り離した付属シート部を中仕切り板として利用できる。従って、内底シートや中仕切り板を別途用意する必要がなく、使い勝手が良い。
【００１０】
請求項２の発明によれば、切り離した付属シート部をそのまま内底シートとして使用できるため、使い勝手が非常に良い。
【００１１】
請求項３の発明によれば、切り離した付属シート部をそのまま中仕切り板として使用できるため、使い勝手が非常に良い。
【００１２】
尚、前記各請求項の発明において、収納箱を単一の段ボール型シートより形成すれば、収納箱全体の低コスト化を図ることができる。この場合、四角形の未加工シートを打ち抜いて所定形状の段ボール型シートを作成するが、付属シート部となる箇所は、従来では打ち抜き加工後に破棄される不要な箇所である。従って、付属シート部を有する段ボール型シートは付属シート部を有さない段ボールシートと同じ大きさの未加工シートより作成できるため、原材料のコストアップなしに段ボール収納箱を作成できる。
【発明を実施するための最良の形態】
【００１３】
以下、本発明の実施形態を図面に基づいて説明する。
【００１４】
図１〜図４は本発明の第１実施形態を示し、図１は収納箱の斜視図、図２は段ボール型シートの上面図（収納箱の展開図）、図３は付属シート部を内底シートとして利用した収納箱の斜視図、図４は付属シート部を中仕切り板として利用した収納箱の斜視図である。
【００１５】
図１に示すように、段ボール収納箱（収納箱）１Ａは、段ボール材より形成され、内部に収容スペースが形成された箱本体２と、この箱本体２の収容スペースを開閉する蓋体３と、この蓋体３の補助を行う一対の補助蓋４ａ，４ｂと、付属シート部５とから構成されている。
【００１６】
箱本体２は、長方形状の底面部６と、この底面部６の４つの外辺より立設された４つの側面部７，８，９，１０とから構成されている。底面部６は、４辺の底面片６ａ〜６ｄの糊付けと組み付けによって形成される。いわゆるワンタッチ式の底構造である。
【００１７】
蓋体３は、側面部７の上端より延設されている。蓋体３の先端には、折り曲げ自在なフラップ部１４が付設されている。このフラップ部１４の折り曲げ箇所には、矩形の差し込みスリット１５と半円形の指掛け孔１６が形成されている。蓋体３の差し込みスリット１５に後述する係止片１１を差し込むことによって蓋体３を係止できるようになっている。
【００１８】
補助蓋４ａ，４ｂは、蓋体３の両側で、且つ、互いに対向する側面部８，１０の上端より延設されている。
【００１９】
付属シート部５は、側面部９の上端より延設されている。付属シート部５と側面部９に跨った位置には、係止片１１が設けられている。この係止片１１は、コ字状のスリット１２と２箇所の折り曲げ線部１２ｂ，１２ｃによって「く」字状に折り曲げ可能に形成されている。また、付属シート部５と側面部９との境界位置、及び、付属シート部５と係止片１１との境界位置には切取線１３が形成されており、この切取線１３に沿って付属シート部５が切り離し自在に設けられている。そして、付属シート部５は、底面部６と中仕切り用の両方に合致する寸法に設定されている。
【００２０】
この段ボール収納箱１Ａは、図２に示す単一の段ボール型シート２０Ａより作成される。以下、段ボール型シート２０Ａの構成を説明する。
【００２１】
図２に示すように、段ボール型シート２０Ａは、４枚の連接された側面部７，８，９，１０と、この各側面部７，８，９，１０の外辺より外側に延設された底面片６ａ〜６ｄと、この底面片６ａ，６ｃに付設された底面用糊代片２１，２２と、側面部７の外辺より外側に付設された側面用糊代部２３と、側面部７の外辺より外側に延設された蓋体３と、一対の側面部８，１０の外辺より外側に付設されたフラップ部４ａ，４ｂと、側面部９の外辺より外側に延設された付属シート部５とから主に構成されている。
【００２２】
側面部９と付属シート部５には係止片１１を形成するためのスリット１２が形成されている。また、付属シート部５を切り離し自在とする切取線１３が形成されている。さらに、各面部の境界等には折り曲げ線ａ，１２ａ，１２ｂがそれぞれ形成されている。
【００２３】
段ボール収納箱１Ａを組み立てるには、単一の段ボール型シート２０Ａの各面を各折り曲げ線ａに沿って所定方向に折り曲げ、且つ、底面用糊代部２１，２２及び側面用糊代部２３を接着剤によって接着し、これによって折り畳み形態とする。次に、この折り畳み形態を展開することによって図１に示す段ボール収納箱１Ａを作成することができる。
【００２４】
この段ボール収納箱１Ａにあって、底面部６の強度を補強したい場合には、側面部９より付属シート部５を切り離す。そして、図３に示すように、切り離した付属シート部５を底面部６の内側に敷き、内底シートとする。これによって、底面部６の強度アップを図ることができる。さらに、収容スペースの底面をフラットにできる。
【００２５】
また、段ボール収納箱１Ａの内容物を仕切りたい場合には、側面部９より付属シート部５を切り離す。そして、図４に示すように、切り離した付属シート部５を中仕切りに使用する。これによって、内容物の整理向上を図ることができる。
【００２６】
さらに、この第１実施形態では、段ボール収納箱１Ａが単一の段ボール型シート２０Ａより形成されている。ここで、段ボール型シート２０Ａは、四角形の未加工シートを所定形状に打ち抜いて作成するが、付属シート部５となる箇所は、従来では打ち抜き加工後に破棄される不要な箇所である。従って、付属シート部５を有する段ボール型シート２０Ａは、付属シート部を有さない段ボール型シートと同じ大きさの未加工シートより作成できるため、原材料のコストアップなしに作成できる。
【００２７】
図５〜図８は本発明の第２実施形態を示し、図５は収納箱の斜視図、図６は段ボール型シートの上面図（収納箱の展開図）、図７は付属シート部を内底シートとして利用した収納箱の斜視図、図８は付属シート部を中仕切り板として利用した収納箱の斜視図である。
【００２８】
前記第１実施形態の段ボール収納箱１Ａは、底面部６が４片の底面片６ａ〜６ｄからなるワンタッチ式の底構造であったが、この第２実施形態の段ボール収納箱（収納箱）１Ｂは、底面部３１が４片の底面部３１ａ〜３１ｄからなるいわゆるアメリカン式の底構造である。４片の底面部３１ａ〜３１ｄは、第１実施形態のように糊付けされずに互いの組み付けのみによって底面部３１に形成される。また、段ボール収納箱１Ｂは、図６に示す段ボール型シート２０Ｂより形成されるようになっている。尚、他の構成は、前記第１実施形態のものと同一であるため、同一構成部分には同一符号を付してその詳細な説明を省略する。
【００２９】
この段ボール収納箱１Ｂにあっても、底面部３１の強度を補強したい場合には、側面部９より付属シート部５を切り離す。そして、図７に示すように、切り離した付属シート部５を底面部３１に敷き、中底シートとする。これによって、底面部３１の強度アップを図ることができる。また、収容スペースの底面をフラットにできる。
【００３０】
さらに、段ボール収納箱１Ｂの内容物を仕切りたい場合には、側面部９より付属シート部５を切り離す。そして、図８に示すように、切り離した付属シート部５を中仕切りとして使用する。これによって、内容物の整理向上を図ることができる。
【００３１】
尚、前記各実施形態では、付属シート部５は、中底シートや中仕切りシートとして使用したが、これら以外の用途に利用しても良いことは勿論である。また、付属シート部５は、対向する側面部８，１０の間に介在する寸法に設定されているが、対向する側面部７，１９の間に介在する寸法に設定しても良い。さらに、収容スペースを対角線上に仕切る寸法に設定しても良い。さらに、付属シート部５は、前記各実施形態と同じ寸法に設定し、収容スペースを上下２段に仕切る中仕切り用として利用しても良い。
【００３２】
また、前記各実施形態では、段ボール収納箱１Ａ，１Ｂの底面部６，３１がいわゆるワンタッチ式とアメリカン式のものに本発明を適用したが、本発明は底面部の構造に係わらず適用可能である。しかし、前記各実施形態のように、底面部６，３１の強度が比較的弱い段ボール収納箱１Ａ，１Ｂに適用した方が有効であることは勿論である。
【００３３】
さらに、前記各実施形態によれば、収納箱として段ボール材より形成した段ボール収納箱１Ａ，１Ｂについて説明したが、収納箱は、厚紙、プラスチック等より形成しても良いことは勿論である。
【図面の簡単な説明】
【００３４】
【図１】本発明の第１実施形態を示し、収納箱の斜視図である。
【図２】本発明の第１実施形態を示し、段ボール型シートの上面図（収納箱の展開図）である。
【図３】本発明の第１実施形態を示し、付属シート部を内底シートとして利用した収納箱の斜視図である。
【図４】本発明の第１実施形態を示し、付属シート部を中仕切り板として利用した収納箱の斜視図である。
【図５】本発明の第２実施形態を示し、収納箱の斜視図である。
【図６】本発明の第２実施形態を示し、段ボール型シートの上面図（収納箱の展開図）である。
【図７】本発明の第２実施形態を示し、付属シート部を内底シートとして利用した収納箱の斜視図である。
【図８】本発明の第２実施形態を示し、付属シート部を中仕切り板として利用した収納箱の斜視図である。
【図９】従来例の収納箱の斜視図である。
【図１０】従来例の収納箱の展開図である。
【符号の説明】
【００３５】
１Ａ，１Ｂ  段ボール収納箱（収納箱）
２  箱本体
３  蓋体
５  付属シート部
６  底面部
７，８，９，１０  側面部
２０Ａ，２０Ｂ  段ボール型シート
【図１】
2007261653.tif 000003
【図２】
2007261653.tif 000004
【図３】
2007261653.tif 000005
【図４】
2007261653.tif 000006
【図５】
2007261653.tif 000007
【図６】
2007261653.tif 000008
【図７】
2007261653.tif 000009
【図８】
2007261653.tif 000010
【図９】
2007261653.tif 000011
【図１０】
2007261653.tif 000012